(57)【特許請求の範囲】
【請求項１】
雨水収集用トレイ（１）と；前記トレイにある水位の関数として垂直に移動可能なように前記トレイ（１）に収納されたフィン付きフロート（９）と；前記フロートによって支持された永久磁石（１５）、及びトレイ（１）に固定されたフロート（９）の垂直位置の関数として第１及び第２の電気的状態間を切換可能な電磁感知スイッチ（１６）と；を有する降雨センサにおいて、
前記トレイ（１）には、穴あきカバー（５）と、前記トレイの上部に備えた蒸発及びオーバーフロー側面窓（４、２２）が設けられており、
前記窓（４、２２）が、トレイ（１）の内部側壁（３）の上方拡張部（２０）に形成された内部窓（４）と、上方フレアー（７）を有する外部側壁（２７）に形成された外部窓（２２）からなり、
前記内部窓（４）及び前記外部窓（２２）は互いに連通しており、前記トレイ（１）の内部空間は、前記上方拡張部（２０）と前記外部側壁（２７）の間にある通路（２５）を介して連通しており、
空所（２４）は、前記カバー（５）の側面縁部（２３）と、前記トレイ（１）の前記外部側壁（２７）の間に設けられており、前記通路（２５）に連通していることを特徴とする降雨センサ。
【請求項２】
前記フロート（９）が、円錐形状の上方壁（１２）を有することを特徴とする請求項１に記載の降雨センサ。
【請求項３】
前記カバー（５）に垂直上方に延びる中央先端部（８）が設けられていることを特徴とする請求項１に記載の降雨センサ。
【請求項４】
前記電磁感知スイッチ（１６）が前記磁石（１５）の下方に水平に設置されることを特徴とする請求項１に記載の降雨センサ。
【請求項５】
前記電磁感知スイッチ（１６）がトレイ（１）のほぼ中心部に存在し、かつ前記磁石（１５）を通って延びる垂直で円筒形の支柱（５０）に設置されることを特徴とする請求項１に記載の降雨センサ。
【発明の詳細な説明】
【０００１】
【発明の属する技術分野】
本発明は降雨センサに関し、さらに詳細には水撒きシステムに関する。
芝生、庭、家庭菜園及びその他の培養空間の保守のため、電子プログラム中央装置によって制御された自動水撒きシステムの使用が次第に普及しつつある。これにより、休日の家庭で通常よく起こるように、システムの操作者が居なくても正確な水撒きの保証が可能となる。
【０００２】
【従来の技術】
雨水が培養に所望程度の湿度を保証するのに十分過ぎる場合、降雨中は中央装置が水撒きシステムを始動させないようにするのは当然である。
従って、現代の水撒きシステムでは降雨センサが利用されており、降雨センサは同様の降雨が予め設定された限度を超える場合、中央装置が電子的信号を送信し、システムの始動を防止するか、または既に動作していれば、その設定を制御して静止させることができる。
【０００３】
【発明が解決しようとする課題】
適切な降雨センサは、雨を収集して予め設定された限度への到達の信号を送るのみでなく、降雨が止んだ場合システムの始動を元に戻し、かつ次の降雨時の適切な表示に備えるためそれ自体をできるだけ迅速にゼロにリセットできる。さらに、それは測定値の修正を損ない、かつそれを非使用にすることさえある異物の取り入れに対する適当な保護を保証しなければならない。
【０００４】
【課題を解決するための手段】
本発明の目的は、良好な動作のため最大の保証を提供する降雨センサを実現することであることが考察される。
本発明によれば、このような目的は、それが蒸発及びオーバフロー側面窓が頂部に設けられた雨水収集用トレイと、前記トレイのカバーとして設置された穴あきカバーと、トレイにある水位の関数として垂直に移動可能なように前記トレイに収納されたフィン付フロートと、前記フロートによって支持された永久磁石、及びトレイに固定されかつフロートの垂直位置の関数として第１及び第２の電気的状態間を切換可能な電磁感知スイッチとを有することを特徴とする降雨センサを用いて達成された。
【０００５】
【発明の実施の形態】
添付図面に非限定的な例示の意味で図示した、本発明につき行い得る実施の形態の以下に記載する詳細な説明により、本発明の特徴を明らかとする。
図１から９に図示した降雨センサは、円形プレート２によって底部に閉鎖されかつ円周方向に分布した、上方拡張部２０を有する円筒形壁部３によって横に画成され、空気窓４によって垂直方向に細長い形状の穴を開けられ、リンク２１を通して壁部３の１つと同軸で、しかし直径のより大きな、円周に沿って順に均一に分布する外部窓２２と半径方向に連通する水収集用トレイ１を含んでいる。
【０００６】
窓４、２２の上で、トレイ１は、順に長円の穴６を具備し、リンク２１（図９）のその側面縁部２３で静止状態にあり（図８の破線及び点線で図式的に示した）、かつ外部窓２２が形成されている上方フレアー７を有する円形窓２７によって包囲される、円錐形状を有するカバー５によって保護される。カバー５には中央垂直方向先端部８が設けられる。
【０００７】
トレイ１の内側には、円形状フロート９が垂直方向可動に収納されており、フロートは円筒形側壁１１及び上方壁１２及び中央円筒形タング１０から形成され、ほぼ半球形状につくられており、均一な形態で円周方向に間隔をおいて配置される複数の半径方向タブ１３が設けられている。
フロート９の内側には、底部プレート１４の上方に、永久磁石１５が固定され、その磁界はスロット１８を通って外に延びる電気的導体１７によって水撒きシステム用制御装置に電気的に接続可能な電磁感知スイッチ１６に影響を与える。
【０００８】
動作中、降雨のない場合は、フロート９はトレイ１の底部に静止し（図３及び４）、かつ磁石１５の磁界によりスイッチ１６は閉鎖接点の状態に保持され、スイッチは中央装置のため適切な一致信号に変換する。この状態で、カバー５は異物の侵入からトレイ１を保護し、その先端部８は鳥類やその他の動物を引き離す。
降雨の場合は、雨水２８はカバー５の穴６を、同様にカバー５の側面縁部２３とリンク２１間通路２５との間と、壁部３の拡張部２０間の空所２４も通過し、トレイ１内側を先ずフロート９の上に浸透し、その後、同フロートの上方壁１２を流れ、かつ側面壁部１１とトレイ１の側面壁部３間、トレイ１の底部プレート２の上及びフロート９の下の空所２６を通過しその結果として、トレイの軸線方向に沿って垂直方向に移動する（図７）。
【０００９】
フロート９がトレイ１の水の予め設定したレベルに対応する予め設定された垂直方向位置に到達すると、スイッチ１６に影響を与える磁石１５の磁界が停止し、その結果として、開放状態に切換えて中央装置が水撒きシステムをターンオフするように誘導する。起こりうる過剰な降雨では、超過する水は窓４、２２を通ってオーバフローされる。
降雨が止むと、トレイ１に収集された水はフロート９に設けられたタブ１３によりその中の好都合な空気窓４、２２を通って蒸発を始める。その結果として、後者は、それが磁石１５によりスイッチ１６を再び閉鎖させその結果が水撒きシステムの再始動に一致するまで元の位置に降り始める。
【００１０】
窓４、２２によって確保された広い乾燥表面及びフロートに豊富に存在するフィン１３が好都合に働き動作条件を迅速に元に戻す。
トレイ１の寸法は、フロート９が平方メートル当たり５リットルに相当する、即ち、ｍ2に対して５ｍｍに相当する、降水量に対してスイッチ１６の開放を決定するように、適当に選択される。
【００１１】
図１０は本発明の第２実施の形態による降雨センサを示すもので、第１実施の形態の降雨センサとは電磁感知スイッチ１６が違ったように設置されていることだけ異なっている。事実、スイッチ１６はトレイ１の下方プレート２の垂直な中央拡張部によって形成された円筒形支柱５０内側に、上方先端部５１によってトレイ１の水を滑らせるように設置されている。このようにして、磁石に垂直なスイッチ１６は磁石高さの変化に対してより感度の良いものとなる。
【図面の簡単な説明】
【図１】本発明の第１実施の形態による降雨センサを示す斜視図である。
【図２】前記降雨センサを示す平面図である。
【図３】降雨のない状態の前記降雨センサを示す一部断面斜視図である。
【図４】前記降雨センサをなお降雨のない状態で示す垂直断面図である。
【図５】図４の線Ｖ−Ｖを通過する水平面により切断した場合の前記降雨センサを示す横断面図である。
【図６】図４の線ＶＩ−ＶＩを通過する水平面により切断した場合の前記降雨センサを示す横断面図である。
【図７】降雨のある状態の前記降雨センサを示す図４と同様な垂直断面図である。
【図８】前出図の降雨センサにおけるトレイのカバーの支持領域の拡大された詳細を示す拡大部分図である。
【図９】同様に詳細を示す図８の線ＩＸ−ＩＸによる断面の拡大部分断面図である。
【図１０】本発明の第２実施の形態による降雨のない状態での降雨センサの一部断面斜視図である。
【図１】
0004392707.tif 000002
【図２】
0004392707.tif 000003
【図３】
0004392707.tif 000004
【図４】
0004392707.tif 000005
【図５】
0004392707.tif 000006
【図６】
0004392707.tif 000007
【図７】
0004392707.tif 000008
【図８】
0004392707.tif 000009
【図９】
0004392707.tif 000010
【図１０】
0004392707.tif 000011